(57)【要約】【課題】必要な方向については視野角を広角化して広い範囲からの光ワイヤレス信号の受信を可能とし、しかも不要方向からの外乱光の影響を軽減する。【解決手段】受光モジュール３０は、光ワイヤレス信号を受信する受光素子３０ａと、凸レンズからなる収束レンズ３０ｂとを備える。受光モジュール３０の前方には受光素子３０ａの視野角を規定する受光レンズ３１が配置される。受光レンズ３１は、収束レンズ３０ｂとの対向面に凹溝３３ａを有し、視野角の広角化が必要な一方向については負の屈折力を有する。また、他方向については視野角が狭く受光素子３０ａの感度が高くなるように、入射面である第１面３２は断面が直線に形成される。【選択図】        図１
2005039745.tif 000002
【特許請求の範囲】
【請求項１】
光ワイヤレス信号を受信する受光素子と、受光素子の前方に配置され受光素子の視野角を規定する受光レンズとを備える光リモコン受信器において、受光レンズは、視野角の広角化が必要な一方向について負の屈折力を有し、他方向について前記一方向よりも屈折力が大きくなる形状に形成していることを特徴とする光リモコン受信器。
【請求項２】
前記受光レンズは、前記受光素子の視野以外の光線が入射する部位が除去されていることを特徴とする請求項１記載の光リモコン受信器。
【請求項３】
前記受光レンズは、前記受光素子が対称な視野を持つように、光ワイヤレス信号の入射面と出射面との光軸が異なる位置に設けられていることを特徴とする請求項１または請求項２記載の光リモコン受信器。
【請求項４】
前記受光レンズは、前記一方向の側面にフレネルレンズを備え、フレネルレンズに入射する光ワイヤレス信号を前記受光素子に導くことを特徴とする請求項１ないし請求項３のいずれか１項に記載の光リモコン受信器。
【請求項５】
前記受光レンズは、前記他方向を含む断面においてはシリンドリカルレンズであることを特徴とする請求項１ないし請求項４のいずれか１項に記載の光リモコン受信器。
【請求項６】
前記受光素子と前記受光レンズとの間に収束レンズが配置され、前記受光レンズにおいて収束レンズに対向する部位には、前記一方向を含む断面において凹没し前記他方向において走る凹溝が形成され、凹溝の開口幅と収束レンズの外径とを等しくしていることを特徴とする請求項１記載の光リモコン受信器。
【発明の詳細な説明】
【技術分野】
【０００１】
本発明は、光リモコン送信器からの光ワイヤレス信号を受信する光リモコン受信器に関するものである。
【背景技術】
【０００２】
近年、照明器具、エアコン、ＡＶ機器、扇風機のような機器の動作の指示や設定の変更のために光リモコン装置が広く用いられている。光リモコン装置は、赤外線のような光を伝送媒体に用いる光ワイヤレス信号を送信する光リモコン送信器と、光ワイヤレス信号を受信する光リモコン受信器とにより構成される。光リモコン受信器は、フォトトランジスタやフォトダイオードのような光ワイヤレス信号を受信して電気信号に変換する受光素子と、受光素子の視野を規定する受光レンズとを備え、受光素子から出力される電気信号の内容を読み取ることによって光ワイヤレス信号により伝送された情報を機器に与えるように構成される。ところで、光リモコン装置に用いる受光素子は、受光素子の出力から光リモコン送信器が送信したデータを抽出する周辺回路と、入射光を受光素子の受光面に収束させる収束レンズ（凸レンズ）とともに一体化されて受光モジュールを形成していることが多い。つまり、受光モジュールの前方に受光レンズが配置され、受光素子と受光レンズとの間に収束レンズが設けられる。
【０００３】
この種の光リモコン受信器は、情報を与える対象となる機器（以下、制御対象機器という）に組み込まれる場合と、制御対象機器とは別に配置される場合とがある。制御対象機器として照明器具を例に挙げると、照明器具に光リモコン受信器を内蔵している場合と、照明器具とは別に設けた光リモコン受信器を天井や壁に取り付ける場合とがある。光リモコン受信器が照明器具（天井に取り付けられているものとする）に内蔵されている場合や照明器具とは別体の光リモコン受信器が天井に配置される場合には、天井側を除くあらゆる方向からの光ワイヤレス信号を受信することが望ましいから、受光レンズは視野角を大きくするように設計されている。つまり、受光モジュールは光軸が鉛直下向きになるように配置され、受光レンズは受光モジュールと光軸を一致させるとともに光軸を回転軸とした回転体をなすように形成される（たとえば、特許文献１参照）。
【０００４】
特許文献１に記載の受光レンズはメニスカスレンズであって、受光レンズにおいて光ワイヤレス信号が入射する入射面は曲率の比較的小さい球面の一部を形成し、他面である出射面は受光モジュールとの対向面に凹所を有する平面となっている。ただし、受光モジュールに設けた収束レンズの直径に比較して受光レンズに設けた凹所の開口径を大きく設定してある。また、受光レンズにおいて凹所に対応する部位では、光軸との距離が小さくなるほど厚み寸法が小さくなっている。換言すれば、凹所に対応する部位は負の屈折力を有するのであって、受光モジュールを単独で用いる場合に比較すると視野角が広がっている。
【特許文献１】特開平７−２９８３７４号公報（第００１９段落、図１）
【発明の開示】
【発明が解決しようとする課題】
【０００５】
ところで、光ワイヤレス信号には赤外線のような光を用いるから、光リモコン受信器に入射する光ワイヤレス信号以外の外乱光によって、光ワイヤレス信号がマスクされ光リモコン送信器から光ワイヤレス信号を送信しても機器が不動作になったり、光ワイヤレス信号に外乱光が混入して機器が誤動作したりする可能性がある。つまり、光リモコン受信器では光ワイヤレス信号以外の外乱光の受信量を低減することが望ましい。
【０００６】
たとえば、光リモコン受信器の視野角を狭くすれば、外乱光を受信する範囲が狭くなることによって外乱光の受信量を低減することができる。また、光リモコン受信器の感度を低下させれば、強度の小さい外乱光は無視されるから実質的に外乱光の受信量が低減されたことになる。
【０００７】
上述した光リモコン受信器は天井に設置することを想定しているから、光リモコン受信器の前面側においてほぼ無指向性となるように、受光レンズが回転体として形成されている。つまり、視野角を狭くしたり感度を低下させたりすることは困難である。したがって、壁スイッチと同程度の高さ位置で壁に光リモコン受信器を取り付けるとすると、上述した形状の受光レンズを用いたときには、照明器具から放射された光が外乱光として光リモコン受信器に直接入射し、不動作や誤動作の原因になる可能性が生じる。とくに、近年では照明器具においてインバータ回路が普及しており、蛍光ランプのフィラメント付近から放射される赤外線が高周波で断続されるから、蛍光ランプから放射された赤外線が光ワイヤレス信号と混同されないようにすることが要求されている。
【０００８】
本発明は上記事由に鑑みて為されたものであり、その目的は、必要な方向については視野角を広角化して広い範囲からの光ワイヤレス信号の受信を可能とし、しかも不要方向からの外乱光の影響を軽減することを可能とした光リモコン受信器を提供することにある。
【課題を解決するための手段】
【０００９】
請求項１の発明は、光ワイヤレス信号を受信する受光素子と、受光素子の前方に配置され受光素子の視野角を規定する受光レンズとを備える光リモコン受信器において、受光レンズは、視野角の広角化が必要な一方向について負の屈折力を有し、他方向について前記一方向よりも屈折力が大きくなる形状に形成していることを特徴とする。
【００１０】
この構成によれば、必要な一方向については視野角の広角化して広い範囲から光ワイヤレス信号を受信することが可能になり、他方向については視野角が狭角になるから、外乱光の影響を軽減することが可能になる。しかも、視野角が狭角である方向を有することによって全方向について広角化する場合に比較すると受光素子に入射する光束が多くなって感度が高くなる。すなわち、広角化しながらも比較的高い感度を維持することが可能になる。
【００１１】
請求項２の発明は、請求項１の発明において、前記受光レンズが、前記受光素子の視野以外の光線が入射する部位が除去されていることを特徴とする。
【００１２】
この構成によれば、視野外の不要光が受光レンズに入射しないから、外乱光の影響がさらに低減される上に、受光レンズが小型化される。
【００１３】
請求項３の発明は、請求項１または請求項２の発明において、前記受光レンズが、前記受光素子が対称な視野を持つように、光ワイヤレス信号の入射面と出射面との光軸が異なる位置に設けられていることを特徴とする。
【００１４】
この構成によれば、受光素子と受光レンズとの位置関係に制約が生じるような場合でも所望の視野を得ることが可能になる。たとえば、受光素子と受光レンズとをずらして配置しなければならないときであって、対称な視野を得たい場合に、この構成を採用することによって目的を達成することが可能である。
【００１５】
請求項４の発明は、請求項１ないし請求項３の発明において、前記受光レンズが、前記一方向の側面にフレネルレンズを備え、フレネルレンズに入射する光ワイヤレス信号を前記受光素子に導くことを特徴とする。
【００１６】
この構成によれば、受光レンズの入射面の面積を小さくしながらもフレネルレンズを併用することによって視野角を確保することが可能になる。すなわち、受光レンズの小型化につながる。なお、請求項３の構成と組み合わせることによって、さらなる広視野角化が可能になる。
【００１７】
請求項５の発明は、請求項１ないし請求項４の発明において、前記受光レンズが、前記他方向を含む断面においてはシリンドリカルレンズであることを特徴とする。
【００１８】
この構成によれば、他方向について屈折力が大きくなるから、視野角が狭角になり、不要な外乱光の低減と感度の向上につながる。
【００１９】
請求項６の発明は、請求項１の発明において、前記受光素子と前記受光レンズとの間に収束レンズが配置され、前記受光レンズにおいて収束レンズに対向する部位には、前記一方向を含む断面において凹没し前記他方向において走る凹溝が形成され、凹溝の開口幅と収束レンズの外径とを等しくしていることを特徴とする。
【００２０】
この構成によれば、凹溝の内側面から出射された視野内の光ワイヤレス信号を漏れなく収束レンズに入射させることができるから、感度の向上につながる。つまり、凹溝の開口幅が収束レンズの外径よりも大きいと収束レンズの径外への光漏れが生じ、凹溝の開口幅が収束レンズの外径よりも小さいと十分な受光感度が得られないから、凹溝の開口幅と収束レンズの外径とを等しくするのが望ましいが、必要に応じて両者は異なっていてもよい。
【発明の効果】
【００２１】
本発明の構成によれば、必要な一方向については視野角の広角化して広い範囲から光ワイヤレス信号を受信することが可能になり、他方向については視野角が狭角になるから、外乱光の影響を軽減することが可能になるという利点がある。しかも、視野角が狭角である方向を有することによって全方向について広角化する場合に比較すると受光素子に入射する光束が多くなって感度が高くなるという利点がある。その結果、広角化しながらも比較的高い感度を維持することが可能になる。
【発明を実施するための最良の形態】
【００２２】
以下に説明する各実施形態では、手操作されるスイッチに光リモコン受信器を並設した例を示す。スイッチは、図９および図１０に示すように、合成樹脂成形品である器体１０の前面に着脱可能に取着されるピアノハンドル型のハンドル１１を備える。なお、器体１０は一面に開口を有する箱状のボディと、ボディの開口に覆着されるカバーとにより構成されるものであって、図１０ではボディを外した状態で図示してある。
【００２３】
ハンドル１１は合成樹脂成形品であって矩形状に形成され、ハンドル１１の幅方向の一側縁（図９における左側縁）が器体１０の前面に枢着され、ハンドル１１の幅方向の他側部（図９における右側部）には器体１０から離れる向きの復帰力が作用する。ハンドル１１への復帰力は、器体１０に設けたタクトスイッチ（図示せず）と器体１０の前面の一部に一体に設けた板ばね状の復帰ばね１２とから作用する。要するに、ハンドル１１は、幅方向の前記一側縁を支点として、前記他側部を器体１０に近付ける向きに押操作することが可能であり、押力を解除すれば復帰力によって元の位置に復帰するのである。ハンドル１１の後面にはタクトスイッチに対応する部位に押突起１１ａが突設され、タクトスイッチの押釦は器体１０の前面に突設した環状の押規制突起１０ａに囲繞される。すなわち、ハンドル１１を押し込むと、ハンドル１１の後面が押規制突起１０ａに当接することによりハンドル１１の押し量が規制される。一方、ハンドル１１の前記他端部の後面には抜止脚１３が突設され、器体１０の前壁に貫設した引掛孔１４に抜止脚１３が挿入される。抜止脚１３の先端部には引掛爪１３ａが形成され、引掛爪１３ａが引掛孔１４の周部に係止されることによって、ハンドル１１の前記他側部の器体１０から離れる距離が規制される。このように、押規制突起１０ａと引掛爪１３ａとによって、器体１０に対するハンドル１１の前記他側部の移動範囲が規制される。
【００２４】
ところで、ハンドル１１の前面であって前記一側縁に沿う部位には合成樹脂成形品である棒状の縁部材１５が固定される。縁部材１５の一部には後述する受光レンズ３１が連続一体に形成される。また、縁部材１５の長手方向の中央部には、器体１０に内蔵した表示灯（図示せず）の点灯と消灯とを視認することができるように、透光性材料からなる表示窓１５ａが形成される。表示灯は、負荷のオンオフを示すものと、負荷のオフ時に点灯してスイッチの位置を示すものとのいずれかの構成になる。また、光ワイヤレス信号が赤外線であるときには、縁部材１５として赤外線を透過し可視光線はほとんど透過しない材料を用いるのが望ましい。ハンドル１１の前面には縁部材１５を設けた部位と設けていない部位との間に段差が形成され、この段差を埋める形で光リモコン送信器２０がハンドル１１の前面に着脱可能に装着される。縁部材１５の長手方向の両端部と、ハンドル１１の前面における前記他側部とにはそれぞれ位置決め突起１６が突設され、光リモコン送信器２０には位置決め突起１６に噛み合う位置決め凹所１７が形成される。さらに、ハンドル１１の後面には図１０のように磁性体板１８が固定されており、光リモコン送信器２０に内蔵した永久磁石（図示せず）と磁性体板１８との間の吸引力によって、ハンドル１１に光リモコン送信器２０が着脱可能に保持される。光リモコン送信器２０の側面（光リモコン送信器２０の長手方向に沿った側面のうち縁部材１５と対向しない一面）にはハンドル１１から光リモコン送信器２０を外す際に指を掛かりやすくするための取外用リブ２０ａが突設される。
【００２５】
光リモコン送信器２０は、ハンドル１１の前面に形成した段差程度の厚み寸法を有し、かつハンドル１１の前面のうち縁部材１５を除く部位にちょうど重なるように形成されている。したがって、光リモコン送信器２０をハンドル１１の前面に取着した状態ではハンドル１１の前面側に段差が形成されなくなり、違和感のない外観が得られることになる。また、光リモコン送信器２０をハンドル１１から外した状態では段差が形成されるが、この状態でも違和感が生じない外観が得られるようにハンドル１１を形成している。リモコン送信器２０は薄型の直方体状であって、長手方向の一側面（図９における上面）に光ワイヤレス信号を送出するための送信部２１を備え、ハンドル１１に装着した状態でハンドル１１に対向する面に操作部（図示せず）が設けられている。操作部は押操作可能であって、光リモコン送信器２０をハンドル１１から外し、操作部を押操作することによって、送信部２１から光ワイヤレス信号が送出される。また、光リモコン送信器２０は電源となる電池を内蔵する。
【００２６】
器体１０は取付枠２２に取り付けられ、器体１０の後部を壁面のような施工面に埋め込んだ形で取付枠２２が施工面に対して固定される。取付枠２２は矩形枠状であって、長手方向の両端部（図９における上下方向の両端部）に取付片２３を備え、取付片２３には取付枠２２を施工面に対して固定するための種々の開口が形成される。ここでは要旨ではないから具体的には説明しないが、開口としては、施工面に埋め込んだスイッチボックスに螺合するボックスねじを用いて取付枠２２をスイッチボックスに取り付けるために用いる開口や、施工面を形成する壁パネルに形成した取付孔の周部を取付枠とともに挟持する挟み金具を引掛けるための開口などが設けられる。
【００２７】
従来構成として説明したように、光リモコン受信器は、受光モジュールと受光レンズとを備えるのであって、以下に説明する実施形態では、受光レンズ３１を縁部材１５の一部として実現し、受光モジュール３０（図１参照）は器体１０に内蔵している。すなわち、器体１０の前面であってハンドル１１を枢着している部位の近傍に受光モジュール３０が露出する。
【００２８】
（実施形態１）
本実施形態で用いる受光モジュール３０は、図２に示すように、フォトトランジスタあるいはフォトダイオードからなる受光素子３０ａと、受光素子３０ａの前方に配置した凸レンズからなる収束レンズ３０ｂを１つのパッケージ３０ｃに備える。収束レンズ３０ｂは、光軸に平行な光線について収束レンズ３０ｂに入射するすべての光を受光素子３０ａの受光面に到達可能にするように設計されている。収束レンズ３０ｂに対して光軸に交差する方向から入射する光は、収束レンズ３０ｂの中央部では光軸に対して比較的大きい角度まで受光素子３０ａに入射可能であるが、周辺部では光軸に交差する角度が比較的小さい角度であっても受光素子３０ａに入射しなくなる。言い換えると、収束レンズ３０ｂは光軸近傍の中央部では比較的広角になるものの周辺部は比較的狭角になるのであって、受光モジュール３０を単体で用いると、実用的な感度が得られる視野角は比較的狭い角度範囲に制限されることになる。
【００２９】
したがって、光ワイヤレス信号を受信可能な視野角を拡げて広角化するには、受光モジュール３０の前方に受光レンズ３１を配置し、光軸に対して比較的大きい角度で受光レンズ３１に入射する光のうち、収束レンズ３０ｂの周部に入射させる光を収束レンズ３０ｂの光軸に略平行な光に近付けることが必要になる。また、上述したように、スイッチのハンドル１１に固定した縁部材１５に受光レンズ３１を設けるのであって、縁部材１５の幅寸法には制限があるから、受光レンズ３１の幅寸法を小さくすることが要求される。
【００３０】
ところで、上述したように壁スイッチとして用いるスイッチの器体１０を光リモコン受信器の器体として流用しているから、左右方向（縁部材１５の幅方向）については広角化する必要があるが、上下方向（縁部材１５の長手方向）については比較的狭角とすることが可能である。たとえば、天井方向からの光ワイヤレス信号はほとんど考慮する必要がないから、受光レンズ３１の光軸が器体１０の正面方向に一致しているものとして、仰角は比較的小さく設定することが可能である。また、床方向からの光ワイヤレス信号も左右方向からの光ワイヤレス信号に比較すると狭い範囲でよいから、伏角も比較的小さくすることができる。一般に視野角が広いほど各方向から受光素子３０ａに入射する光束は少なくなるから感度が低下するのであって、従来構成のように全方向について広角化している場合には低感度になる。これに対して、上述のように光リモコン受信器を壁面のような施工面に取着する場合には、上下方向（図１のｙ方向）の視野角を左右方向（図１のｘ方向）の視野角よりも狭くすることができるから、上下方向については受光モジュール３０の視野角を広角化しなくてもよいと言える。つまり、左右方向については広角化し、上下方向については広角化しない受光レンズ３１を用いれば、上下左右ともに広角化する場合よりは、各方向から受光素子３０ａに入射する光束を多くすることができ、結果的に感度の向上につながる。ちなみに、以下に説明する受光レンズ３１では感度を略２．５倍向上させることが可能である。
【００３１】
いま、受光モジュール３０の収束レンズ３０ｂの光軸を図１のｘ軸とｙ軸とに直交するように受光モジュール３０と受光レンズ３１とを配置し、受光モジュール３０の収束レンズ３０ｂの光軸をｚ軸とする。本実施形態の受光レンズ３１は、ｘｚ平面では負の屈折力を持ち、ｙｚ平面では視野角を比較的狭くするように構成している点が特徴である。具体的には、受光レンズ３１は、ｙｚ平面内では光ワイヤレス信号の入射面（以下、「第１面」という）と光ワイヤレス信号の出射面（以下、「第２面」という）とがともに直線状に形成される。また、ｘｚ平面内では図２に示すように、第１面３２が一定の曲率で湾曲する円の一部であり、第２面３３には受光モジュール３０の収束レンズ３０ｂに対向する部位に凹溝３３ａが凹没し、残りの部位は平面３３ｂとなる形状に形成される。ｘｚ平面内では凹溝３３ａの内側は放物線となるように形成されている。たとえば、第１面３２の断面は曲率半径が４２ｍｍである円の一部とし、第２面３３の断面は数１において、Ｃ＝１／３ｍｍ、Ｋ＝０．５とした放物線とする。
【００３２】
【数１】
2005039745.tif 000003
【００３３】
図示例では、受光レンズ３１の幅方向（図２の上下方向）において、凹溝３３ａの開口幅と収束レンズ３０ｂの外径とは略等しくしてある。なお、図２に示すように、受光レンズ３１の幅方向において、凹溝３３ａの両端と収束レンズ３０ｂの両端とをそれぞれ結ぶ直線は略平行であり、両直線を光路に含む光線がｘｚ平面内の視野角を規定する。つまり、視野角により規定される視野内の光線はすべて凹溝３３ａの内側面を通り、受光素子３０ａに入射するように、受光レンズ３１の位置および形状が設定されている。
【００３４】
ところで、上述したように、受光レンズ３１はハンドル１１に設けた縁部材１５の一部であって、受光モジュール３０は器体１０に設けられるものであるから、組込寸法の制約上、受光レンズ３１の幅方向において、受光モジュール３０の中心位置と受光レンズ３１の中心位置とを一致させることは困難である。ここに、組込寸法の制約とは、光リモコン送信器２０の操作性や見映えの都合上、縁部材１５の幅寸法を大きくとることができず、また受光モジュール３０はハンドル１１に重複する部位に設けなければならないことを意味している。したがって、図２に示すように、受光レンズ３１の幅方向において、受光レンズ３１の凹溝３３ａの位置は中心位置から偏移することになる。また、縁部材１５の側面は段差を形成しているから、受光レンズ３１の側面も段差を形成する。ここで、段差とは反対側の部位（図２の上部）では要求する視野角内のすべての光が第１面３２に入射するが、段差側の部位（図２の下部）では要求する視野角の一部の光は第１面３２に入射させることができない。ただし、光リモコン送信器２０を使用するときには、ハンドル１１から光リモコン送信器２０を外すから、受光レンズ３１の段差側の側面にも光ワイヤレス信号を入射させることが可能になる。そこで、受光レンズ３１の側面から入射する視野角内の光が凹溝３３ａの内側面を通過するように、受光レンズ３１の側面に受光レンズ３１の厚み方向（図２の左右方向）において凹凸を繰り返すフレネルレンズ３２ａを形成する。フレネルレンズ３２ａは、断面が鋸歯状に形成されており、第１面３２と同様に機能する。要するに、受光レンズ３１によってｘｚ平面内での視野角を確保しながらも、フレネルレンズ３２ａを設けない場合に比較して受光レンズ３１の幅寸法を小さくすることが可能になる。このような構成によって、受光モジュール３０の光軸に対して左右対称な視野を得ることができる。たとえば、数１に示した条件では視野角が左右に６０度になる。
【００３５】
受光レンズ３１は、受光モジュール３０に対して左右方向（ｘ方向）だけではなく、上下方向（ｙ方向）についても非対称に配置してある。上下方向において、受光モジュール３０から受光レンズ３１を見込む範囲は上側よりも下側を大きくしてある。たとえば、受光レンズ３１の上下方向の寸法については、受光モジュール３０における収束レンズ３０ｂの光軸から下向きに６．４５ｍｍ、上側に３．５５ｍｍなどと設定する。
【００３６】
なお、上述したように、受光レンズ３１にフレネルレンズ３２ａを設けると、受光レンズ３１の左右方向の幅寸法を小さくすることが可能になるから、受光レンズ３１の段差側の側面だけではなく、他方の側面にもフレネルレンズ部を設けるようにすれば、受光レンズ３１の幅寸法をより小さくすることが可能である。フレネルレンズ３２ａの形状としては、第１面３２の端部の特性を実現できる形状とするのが望ましいが、視野角を確保することができれば他の形状を採用してもよい。
【００３７】
（実施形態２）
実施形態１において説明したように、ｙｚ平面内の視野角はｘｚ平面内に比較すると狭く、また壁スイッチの器体１０に光リモコン受信器を設ける構成では、ｙｚ平面内での視野角のうち仰角を伏角よりも小さくすることができる。ｙｚ平面内の視野角を小さくすれば、ｘｚ平面内の視野角を大きくしても感度を確保することができるから、ｙｚ平面内の視野角を小さくすることが望ましい。そこで、図３および図４に示すように、本実施形態ではｙｚ平面内において、受光モジュール３０における収束レンズ３０ｂの上端と受光レンズ３１の上端面との高さ位置が一致するように配置してある。
【００３８】
このような配置によって、受光モジュール３０に設けた収束レンズ３０ｂの光軸よりも上方から受光レンズ３１に入射する光は、収束レンズ３０ｂにはほとんど到達せず、結果的に、天井付近に配置された照明器具などから受光素子３０ａへの外乱光の入射を抑制することができる。要するに、視野として不要である方向からの光が受光モジュール３０に入射するのを防止することができる。
【００３９】
なお、本実施形態では収束レンズ３０ｂの上端と受光レンズ３１の上端面との高さ位置を一致させているが、受光モジュール３０と受光レンズ３１とのｙ方向における位置関係は、受光モジュール３０の視野のうち無効にしたい領域に応じて適宜に設定される。したがって、受光モジュール３０の視野の下部を無効にするために、受光モジュール３０における収束レンズ３０ｂの光軸よりも下方において受光レンズ３１の一部を切除してもよい。視野を低減するには、受光レンズ３１の一部をレンズとして機能させなければよいから、受光レンズ３１の一部を遮光したり、受光レンズ３１の一部に遮光を施したり、不透明材料を用いたり、透過率の小さい材料の厚み寸法を大きくしたりするなど、種々構成を採用することが可能である。他の構成および機能は実施形態１と同様である。
【００４０】
（実施形態３）
本実施形態は、図５および図６に示すように、実施形態１として説明した受光レンズ３１のうちフレネルレンズ３２ａを省略し、さらに図７に示すように、第１面３２をｙｚ平面内で比較的小さい一定の曲率を有する円形の一部として形成しているものである。つまり、第１面３２はｙｚ平面内において正の屈折力のレンズ（たとえば、平凸レンズ）として機能する。図示例はシリンドリカルレンズ（ただし、断面は非円でもよい）の一部を形成している。つまり、受光レンズ３１は、ｘｚ平面においては負の屈折力を持ち、ｙｚ平面においては第１面３２に入射する光を受光モジュール３０に収束させる正の屈折力を持つように形成される。言い換えると、ｙｚ平面においては視野角が比較的狭く形成される。また、図７から明らかなように、本実施形態ではｙ方向において受光モジュール３０に設けた収束レンズ３０ｂの光軸と受光レンズ３１の光軸とを一致させている。したがって、ｙｚ平面においても収束レンズ３０ｂの光軸に対称な視野が得られることになる。
【００４１】
ただし、本実施形態ではフレネルレンズ３２ａが存在しないから、同視野角であれば受光レンズ３１の左右方向の幅寸法は実施形態１よりも大きくなるが、フレネルレンズ３２ａを形成する場合に比較すると簡単な形状になるから、合成樹脂成形品として比較的簡単な金型形状で低コストで製造することが可能になる。他の構成および機能は実施形態１と同様である。
【００４２】
（実施形態４）
本実施形態は、図８に示すように、ｘｚ平面において受光レンズ３１の第１面３２と第２面３３との光軸ＡＸ１，ＡＸ２をｘ方向にずらしたものである。すなわち、ｘｚ平面における第１面３２の頂点の位置と第２面３３に設けた凹溝３３ａの底の位置とをｘ方向においてずらしているのである。ただし、両光軸ＡＸ１，ＡＸ２の平行は保つようにしてある。受光レンズ３１をこのような形状とすることによって、ｘｚ平面において光束は第２面３３の光軸ＡＸ２に対して非対称になる。
【００４３】
このような形状の受光レンズ３１を採用すれば、受光モジュール３０における収束レンズ３０ｂが凹溝３３ａに対向していなくとも受光モジュール３０では対称な視野を得ることが可能になる。つまり、図８に示すように、受光モジュール３０に設けた収束レンズ３０ｂの光軸ＡＸ０と受光レンズ３１の第２面３３の光軸ＡＸ２とを平行を保ってｘ方向においてずらしても光軸ＡＸ０に対して対称な視野が得られる。受光モジュール３０と受光レンズ３１とのこのような位置関係は、両者の配置に制約が生じるような場合に有効である。他の構成および機能は実施形態１と同様である。
【００４４】
上述した各例では、ピアノハンドル型のハンドル１１を備えるスイッチの器体１０を共用することを想定して形状を説明したが、本発明の技術思想は特定方向については広視野を有するが他方向については広視野を有さないような使用形態であれば適用することができる。したがって、受光レンズ３１は、上述した各実施形態のようなｘｚ平面においては負メニスカスレンズとなる構成のほか、平凹レンズや両凹レンズ（通常の凹レンズ）の断面形状を採用することも可能である。また、ｙｚ平面においては両凸レンズ（通常の凸レンズ）、正メニスカスレンズの断面形状を採用することが可能である。また、上述した実施形態では、受光モジュール３０における収束レンズ３０ｂの光軸を含み互いに直交する面内での視野角を異ならせているが、視野角を異ならせる面は互いに直交していることは必須ではない。さらに、受光レンズ３１は１枚だけではなく複数枚を組み合わせた構成としてもよい。
【図面の簡単な説明】
【００４５】
【図１】実施形態１を示す斜視図である。
【図２】同上の平面図である。
【図３】実施形態２を示す斜視図である。
【図４】同上の側面図である。
【図５】実施形態３を示す斜視図である。
【図６】同上の平面図である。
【図７】同上の側面図である。
【図８】実施形態４を示す平面図である。
【図９】本発明の使用形態を示す分解斜視図である。
【図１０】同上の要部断面図である。
【符号の説明】
【００４６】
３０ａ  受光素子
３０ｂ  収束レンズ
３１  受光レンズ
３２  第１面
３２ａ  フレネルレンズ
３３  第２面
３３ａ  凹溝
ＡＸ１，ＡＸ２  光軸
【図１】
2005039745.tif 000004
【図２】
2005039745.tif 000005
【図３】
2005039745.tif 000006
【図４】
2005039745.tif 000007
【図５】
2005039745.tif 000008
【図６】
2005039745.tif 000009
【図７】
2005039745.tif 000010
【図８】
2005039745.tif 000011
【図９】
2005039745.tif 000012
【図１０】
2005039745.tif 000013